(57)【特許請求の範囲】
【請求項１】
同一装置に設けられた複数の接続端子に接続される電線を識別する電線用識別器具であって、
前記接続端子に嵌合して未使用時の接続端子を保護する保護部と、
前記保護部を貫通し使用時の接続端子に接続される電線を挿通可能な貫通孔と、
前記保護部に支持され前記接続端子に接続される電線の識別情報を表示する面状部と
を有することを特徴とする電線用識別器具。
【請求項２】
前記貫通孔は、
前記保護部の前記接続端子への嵌合方向とは垂直な方向に前記保護部を貫通することを特徴とする請求項１記載の電線用識別器具。
【請求項３】
前記保護部は、
前記面状部と接していない底面部と、
前記底面部が前記貫通孔の中心軸と平行に切り込まれて形成され、前記貫通孔まで到達する切込部と
を含むことを特徴とする請求項１記載の電線用識別器具。
【請求項４】
前記底面部は、
前記切込部に向かうにつれて前記貫通孔へ近づく傾斜が形成されていることを特徴とする請求項３記載の電線用識別器具。
【請求項５】
前記面状部は、
前記保護部に回転可能に支持されることを特徴とする請求項１記載の電線用識別器具。
【発明の詳細な説明】
【技術分野】
【０００１】
本発明は、同一装置に設けられた複数の接続端子に接続される電線を識別する電線用識別器具に関し、特に、電線識別の利便性を向上するとともに、紛失防止や再利用の促進を図ることができる電線用識別器具に関する。
【背景技術】
【０００２】
一般に、例えばＬＡＮにおいて用いられるハブ装置などには、複数の接続端子が設けられており、各接続端子には、それぞれＬＡＮケーブルなどの電線が接続可能となっている。したがって、１つのハブ装置に複数のＬＡＮケーブルが接続されることがあり、各ＬＡＮケーブルがハブ装置とＬＡＮ内のどの装置（例えばコンピュータやプリンタなど）とを接続しているかの識別が必要となることがある。このとき、通常見えにくい位置にあるハブ装置の接続端子番号を確認したり、実際にＬＡＮケーブルを辿って接続されている装置を確認したりするのは、手間がかかり効率が悪い。
【０００３】
そこで、従来、ケーブル識別タグがＬＡＮケーブルに取り付けられることがある。このケーブル識別タグには、例えば図９−１に示すように０〜９までの数字が標記されており、ＬＡＮケーブルに巻き付けられて接着される。そして、ＬＡＮケーブル識別のためには、例えば図９−１中の破線でケーブル識別タグを切断することにより、このＬＡＮケーブルの番号を３として識別することが可能となる（図９−２参照）。
【０００４】
また、例えば特許文献１には、バーコードなどの識別表示がなされたホルダーに電線の抜け止めを形成し、このホルダーに電線を挿通させることにより、ホルダーが電線から外れることを防止するとともに電線を識別することが開示されている。
【０００５】
【特許文献１】特開２００１−１５４５８１号公報
【発明の開示】
【発明が解決しようとする課題】
【０００６】
しかしながら、ＬＡＮケーブルなどの電線を識別する際には、識別タグやホルダーなどの部材を新たに用意する必要があり、利便性に欠けるという問題がある。また、電線に巻きつけて接着するタイプの識別タグは、電線を交換する際の再利用が困難であるのに加え、たとえ再利用可能であっても、識別タグやホルダーは、比較的小さい部材であるため、未使用時の紛失の恐れなどがある。
【０００７】
本発明はかかる点に鑑みてなされたものであり、電線識別の利便性を向上するとともに、紛失防止や再利用の促進を図ることができる電線用識別器具を提供することを目的とする。
【課題を解決するための手段】
【０００８】
上記課題を解決するために、本発明は、同一装置に設けられた複数の接続端子に接続される電線を識別する電線用識別器具であって、前記接続端子に嵌合して未使用時の接続端子を保護する保護部と、前記保護部を貫通し使用時の接続端子に接続される電線を挿通可能な貫通孔と、前記保護部に支持され前記接続端子に接続される電線の識別情報を表示する面状部とを有することを特徴とする。
【０００９】
また、本発明は、上記発明において、前記貫通孔は、前記保護部の前記接続端子への嵌合方向とは垂直な方向に前記保護部を貫通することを特徴とする。
【００１０】
また、本発明は、上記発明において、前記保護部は、前記面状部と接していない底面部と、前記底面部が前記貫通孔の中心軸と平行に切り込まれて形成され、前記貫通孔まで到達する切込部とを含むことを特徴とする。
【００１１】
また、本発明は、上記発明において、前記底面部は、前記切込部に向かうにつれて前記貫通孔へ近づく傾斜が形成されていることを特徴とする。
【００１２】
また、本発明は、上記発明において、前記面状部は、前記保護部に回転可能に支持されることを特徴とする。
【００１３】
また、本発明は、上記発明において、前記貫通孔は、内面に複数の突起を有することを特徴とする。
【００１４】
また、本発明は、上記発明において、前記面状部は、未使用時に前記保護部によって保護される接続端子の端子番号を識別情報として表示することを特徴とする。
【００１５】
また、本発明は、上記発明において、前記面状部は、周囲の色と異なる色で識別情報を表示することを特徴とする。
【発明の効果】
【００１６】
本発明によれば、接続端子に嵌合して未使用時の接続端子を保護する保護部と、保護部を貫通し使用時の接続端子に接続される電線を挿通可能な貫通孔と、保護部に支持され接続端子に接続される電線の識別情報を表示する面状部とを有する。このため、接続端子の未使用時に接続端子を保護している保護カバーを接続端子の使用時の電線の識別に利用することができ、電線の識別のために新たな部材は不要となり、電線識別の利便性を向上するとともに、紛失防止や再利用の促進を図ることができる。
【００１７】
また、本発明によれば、貫通孔は、保護部の接続端子への嵌合方向とは垂直な方向に保護部を貫通するため、嵌合方向に形成されている面には孔が形成されず、保護部が接続端子に嵌合された場合に接続端子を確実に保護することができる。
【００１８】
また、本発明によれば、保護部は、面状部と接していない底面部と、底面部が貫通孔の中心軸と平行に切り込まれて形成され、貫通孔まで到達する切込部とを含むため、切込部を通過させて電線を貫通孔へ到達させることができ、電線への取り付けを容易に行うことができる。
【００１９】
また、本発明によれば、底面部は、切込部に向かうにつれて貫通孔へ近づく傾斜が形成されているため、底面部を電線に押し付けることにより、電線が切込部へ案内されて貫通孔へ到達させることができ、電線への取り付けをさらに容易に行うことができる。
【００２０】
また、本発明によれば、面状部は、保護部に回転可能に支持されるため、保護部に形成された貫通孔における電線の挿通方向に対する識別情報の読み取り方向を変更することができ、電線の設置状態に関わらず識別情報の視認性をさらに向上することができる。
【００２１】
また、本発明によれば、貫通孔は、内面に複数の突起を有するため、貫通孔に挿通された電線の外被との摩擦が大きくなり、電線用識別器具を電線に確実に固定することができる。
【００２２】
また、本発明によれば、面状部は、未使用時に保護部によって保護される接続端子の端子番号を識別情報として表示するため、装置の接続端子付近に表示された端子番号の視認性を向上することができるとともに、汎用性のある識別情報を提供することができる。
【００２３】
また、本発明によれば、面状部は、周囲の色と異なる色で識別情報を表示するため、識別情報の視認性をさらに向上することができる。
【発明を実施するための最良の形態】
【００２４】
以下、本発明の実施の形態について、図面を参照して詳細に説明する。なお、以下においては、電線の一例としてＬＡＮケーブルを識別する場合について説明するが、本発明は、同一装置に設けられた複数の接続端子に接続される電線を識別する場合であれば適用可能である。
【００２５】
（実施の形態１）
図１は、本発明の実施の形態１に係るハブ装置１０の概略構成を示す斜視図である。このハブ装置１０の前面には、１から８までの番号が付与された差込口型の接続端子２０が設けられており、これらの接続端子２０にはＬＡＮケーブルの一端が差し込まれて接続され、ＬＡＮケーブルの他端が図示しないコンピュータやプリンタなどに接続される。
【００２６】
また、例えば図１中の８番の接続端子のように、未使用の接続端子には、接続端子への異物の混入などを防止するために、保護カバー３０が嵌合している。したがって、接続端子２０へＬＡＮケーブルを接続する場合は、保護カバー３０を取り外してから接続することになる。
【００２７】
図２は、本実施の形態に係る保護カバー３０の構成を示す斜視図である。同図に示す保護カバー３０は、大きく頭頂部３１と嵌合部３２とに分かれている。ハブ装置１０に取り付けられた状態においては、頭頂部３１は接続端子２０の差込口全体を覆っており、嵌合部３２は接続端子２０の差込口に嵌合して接続端子２０を保護している。保護カバー３０は、嵌合部３２が接続端子２０へ差し込まれることから、絶縁体によって成形されるのが好ましく、本実施の形態においては、特にゴムやプラスチックなどの弾性がある合成樹脂を材料とするのが好ましい。
【００２８】
頭頂部３１は、嵌合部３２が接合される面とは反対側（図２中手前方向）に、例えばハブ装置１０の接続端子番号などの識別情報を表示可能な面状部３１ａを有しており、面状部３１ａの周囲には、外縁部３１ｂが形成されている。面状部３１ａは、必ずしも平面でなくても良く、識別情報が表示可能であれば曲面でも良い。面状部３１ａに表示される識別情報としては、ハブ装置１０の接続端子番号の他にも、例えば接続端子２０に接続される装置の名称など様々なものが考えられる。ただし、本実施の形態に係る保護カバー３０は、後述するように、ＬＡＮケーブルに取り付け可能であるため、ＬＡＮケーブルを識別するための識別情報が面状部３１ａに表示されるようになっている。
【００２９】
面状部３１ａに表示される識別情報は、印刷などによりあらかじめ表示されていても良く、また、ユーザが手書きで任意の識別情報を表示しても良い。識別情報が印刷などによりあらかじめ表示されている場合、この識別情報は、面状部３１ａの材質や色を考慮して、容易に判読可能な色や印刷方法で表示される。
【００３０】
嵌合部３２は、接続端子２０への嵌合方向とは垂直な方向に貫通する貫通孔３２ａを有している。貫通孔３２ａの直径は、接続端子２０に接続されるＬＡＮケーブルの直径以下である。この貫通孔３２ａには、保護カバー３０が保護している接続端子２０に接続されるＬＡＮケーブルが挿通可能となっている。そして、ＬＡＮケーブルが挿通される場合、貫通孔３２ａの直径がＬＡＮケーブルの直径以下であるため、貫通孔３２ａの内面とＬＡＮケーブルとが圧接し、保護カバー３０の位置のずれを防止することができる。
【００３１】
また、頭頂部３１側とは反対側（図２中奥方向）の底面から貫通孔３２ａまでは切込３２ｂが入れられており、切込３２ｂを介して対向する２つの端部３２ｃが形成されている。このため、保護カバー３０をＬＡＮケーブルに取り付ける際には、ＬＡＮケーブルを２つの端部３２ｃの間の切込３２ｂを通過させることにより、ＬＡＮケーブルが貫通孔３２ａを挿通した状態にすることができる。なお、切込３２ｂは、必ずしも頭頂部３１側とは反対側の底面に形成されなくても良く、嵌合部３２の頭頂部３１と接していない面に形成されれば良い。ただし、切込３２ｂを頭頂部３１側とは反対側の底面に形成することにより、保護カバー３０のＬＡＮケーブルへの取り付けは容易となる。
【００３２】
特に、本実施の形態においては、保護カバー３０が弾性体で成形されているため、図３−１に示すように面状部３１ａが略平面状であれば、頭頂部３１の外縁部３１ｂに求心方向の力を加えると、面状部３１ａが接続端子２０への嵌合方向に湾曲する。そして、これに伴って、嵌合部３２に形成されている２つの端部３２ｃ付近では遠心方向の力が働き、２つの端部３２ｃが切込３２ｂを介して離間する。このため、図３−２に示すように、離間した２つの端部３２ｃの間から貫通孔３２ａまでＬＡＮケーブル４０を通すことにより、容易に保護カバー３０をＬＡＮケーブル４０に取り付けることができる。
【００３３】
このようにしてＬＡＮケーブル４０に取り付けられた保護カバー３０の面状部３１ａには、ＬＡＮケーブル４０の識別情報が表示されているため、ＬＡＮケーブル４０の識別が可能となる。つまり、本実施の形態においては、接続端子２０にＬＡＮケーブル４０を接続する際には、接続端子２０に差し込まれている保護カバー３０をＬＡＮケーブル４０の識別器具として利用するため、新たに識別タグやホルダーなどの部材を必要とすることがない。また、ＬＡＮケーブル４０接続の際の作業に必要な動作エリアが削減され、作業効率を向上することができる。
【００３４】
また、接続端子２０の未使用時には、保護カバー３０の嵌合部３２を接続端子２０に嵌合し、未使用の接続端子２０を保護しておくことができるとともに、この接続端子２０に接続されるＬＡＮケーブル４０用の識別器具が紛失する恐れがない。
【００３５】
以上のように、本実施の形態によれば、接続端子の保護カバーにＬＡＮケーブルを挿通可能な貫通孔を設けておき、接続端子にＬＡＮケーブルを接続する際には、保護カバーの貫通孔にＬＡＮケーブルを挿通させ、保護カバーの頭頂部にＬＡＮケーブルの識別情報を表示する。このため、接続端子の未使用時に利用される保護カバーが、接続端子にＬＡＮケーブルが接続される使用状態では、ＬＡＮケーブルの識別器具として機能するため、ＬＡＮケーブルの識別のための新たな部材が不要となり、電線識別の利便性を向上するとともに、紛失防止や再利用の促進を図ることができる。
【００３６】
なお、本実施の形態においては、貫通孔３２ａの直径をＬＡＮケーブルの直径以下とすることにより、保護カバー３０の位置がずれてしまうことを防止するものとしたが、貫通孔３２ａの内面に保護カバー３０のずれ防止用の突起を形成するようにしても良い。すなわち、図４に示す平面図（図２中のＡから見た図）に示すように、貫通孔３２ａの内面に複数の突起３３を形成し、ＬＡＮケーブルが挿通した状態における滑り止めとしても良い。こうすることにより、さらに確実に保護カバー３０の位置のずれを防止することができ、結果として、常にＬＡＮケーブルの同じ位置において識別情報を確認することができる。
【００３７】
（実施の形態２）
本発明の実施の形態２の特徴は、保護カバーの識別情報が表示される面と対向する面に、切込に向かうにつれて貫通孔へ近づく傾斜を形成し、この面にＬＡＮケーブルを押し付けるだけで保護カバーを取り付け可能とする点である。
【００３８】
図５は、本実施の形態に係る保護カバー５０の構成を示す斜視図である。同図に示す保護カバー５０は、大きく頭頂部５１と嵌合部５２とに分かれている。保護カバー５０が接続端子を保護している状態においては、頭頂部５１は接続端子の差込口全体を覆っており、嵌合部５２は接続端子の差込口に嵌合して接続端子を保護している。保護カバー５０は、嵌合部５２が接続端子へ差し込まれることから、絶縁体によって成形されるのが好ましく、本実施の形態においては、特にゴムやプラスチックなどの弾性がある合成樹脂を材料とするのが好ましい。
【００３９】
頭頂部５１は、嵌合部５２が接合される面とは反対側（図５中手前方向）に識別情報を表示可能な面状部５１ａを有している。面状部５１ａや、必ずしも平面でなくても良く、識別情報が表示可能であれば曲面でも良い。
【００４０】
面状部５１ａに表示される識別情報は、印刷などによりあらかじめ表示されていても良く、また、ユーザが手書きで任意の識別情報を表示しても良い。識別情報が印刷などによりあらかじめ表示されている場合、この識別情報は、面状部５１ａの材質や色を考慮して、容易に判読可能な色や印刷方法で表示される。
【００４１】
嵌合部５２は、接続端子への嵌合方向とは垂直な方向に貫通する貫通孔５２ａを有している。貫通孔５２ａの直径は、接続端子に接続されるＬＡＮケーブルの直径以下である。この貫通孔５２ａには、保護カバー５０が保護している接続端子に接続されるＬＡＮケーブルが挿通可能となっている。そして、ＬＡＮケーブルが挿通される場合、貫通孔５２ａの直径がＬＡＮケーブルの直径以下であるため、貫通孔５２ａの内面とＬＡＮケーブルとが圧接し、保護カバー５０の位置のずれを防止することができる。
【００４２】
また、頭頂部５１側とは反対側（図５中奥方向）の底面から貫通孔５２ａまでは切込５２ｂが入れられており、切込５２ｂを介して対向する２つの端部５２ｃが形成されている。さらに、面状部５１ａから最も遠く離れており、２つの端部５２ｃを形成している底面部５２ｄは、切込５２ｂへ向かうにつれて貫通孔５２ａへ近づく勾配を有している。すなわち、底面部５２ｄと頭頂部５１から垂直に屹立する側面部５２ｅとが成す角αは直角よりも小さい。なお、角αが直角以上であっても、底面部５２ｄは、端部５２ｃ付近においてのみ切込５２ｂに向かうにつれて貫通孔５２ａへ近づく勾配を有するようにしても良い。
【００４３】
本実施の形態においては、底面部５２ｄに勾配が形成されているため、図６−１に示すように面状部５１ａに力が加えられ、ＬＡＮケーブル４０が底面部５２ｄに押し付けられると、ＬＡＮケーブル４０は底面部５２ｄの勾配に案内されて切込５２ｂ付近へ到達する。そして、さらに面状部５１ａに力が加えられ、ＬＡＮケーブル４０が底面部５２ｄに押し付けられることにより、端部５２ｃが貫通孔５２ａ内に押し開かれ、２つの端部５２ｃが切込５２ｂを介して離間する。このため、図６−２に示すように、離間した２つの端部５２ｃの間から貫通孔５２ａまでＬＡＮケーブル４０を通すことにより、さらに容易に保護カバー５０をＬＡＮケーブル４０に取り付けることができる。
【００４４】
このようにしてＬＡＮケーブル４０に取り付けられた保護カバー５０の面状部５１ａには、ＬＡＮケーブル４０の識別情報が表示されているため、ＬＡＮケーブル４０の識別が可能となる。つまり、本実施の形態においては、接続端子にＬＡＮケーブル４０を接続する際には、接続端子に差し込まれている保護カバー５０をＬＡＮケーブル４０の識別器具として利用するため、新たに識別タグやホルダーなどの部材を必要とすることがない。また、ＬＡＮケーブル４０接続の際の作業に必要な動作エリアが削減され、作業効率を向上することができる。
【００４５】
また、接続端子の未使用時には、保護カバー５０の嵌合部５２を接続端子に嵌合し、未使用の接続端子を保護しておくことができるとともに、この接続端子に接続されるＬＡＮケーブル４０用の識別器具が紛失する恐れがない。
【００４６】
以上のように、本実施の形態によれば、接続端子の保護カバーにＬＡＮケーブルを挿通可能な貫通孔を設けておき、保護カバーの底面に貫通孔まで到達する切込を入れておくとともに、切込へ向かうにつれて貫通孔へ近づく傾斜を形成しておく。このため、保護カバーの底面にＬＡＮケーブルを押し付けることにより、傾斜によってＬＡＮケーブルが切込付近へ案内され、さらに切込を押し広げてＬＡＮケーブルが貫通孔へ到達する。したがって、保護カバーのＬＡＮケーブルへの取り付けがさらに容易になり、作業効率が向上する。
【００４７】
（実施の形態３）
本発明の実施の形態３の特徴は、保護カバーの識別情報が表示される面のＬＡＮケーブルに対する相対的な向きを変更可能とすることにより、識別情報の視認性をさらに向上する点である。
【００４８】
図７は、本実施の形態に係る保護カバー６０の構成を示す斜視図である。同図に示す保護カバー６０は、大きく頭頂部６１と嵌合部６２とに分かれている。保護カバー６０が接続端子を保護している状態においては、頭頂部６１は接続端子の差込口全体を覆っており、嵌合部６２は接続端子の差込口に嵌合して接続端子を保護している。保護カバー６０は、嵌合部６２が接続端子へ差し込まれることから、絶縁体によって成形されるのが好ましく、本実施の形態においては、特にゴムやプラスチックなどの弾性がある合成樹脂を材料とするのが好ましい。
【００４９】
頭頂部６１は、嵌合部６２に接する面とは反対側（図７中手前方向）に識別情報を表示可能な面状部６１ａを有している。面状部６１ａや、必ずしも平面でなくても良く、識別情報が表示可能であれば曲面でも良い。そして、面状部６１ａの中心には、開口部６１ｂが形成されており、回転軸部材６３が接続端子への嵌合方向に挿入されている。回転軸部材６３の一端は、開口部６１ｂ付近で頭頂部６１に固定されており、他端は、嵌合部６２を頭頂部６１に対して回転可能に支持している。
【００５０】
面状部６１ａに表示される識別情報は、印刷などによりあらかじめ表示されていても良く、また、ユーザが手書きで任意の識別情報を表示しても良い。識別情報が印刷などによりあらかじめ表示されている場合、この識別情報は、面状部６１ａの材質や色を考慮して、容易に判読可能な色や印刷方法で表示される。
【００５１】
嵌合部６２は、接続端子への嵌合方向とは垂直な方向に貫通する貫通孔６２ａを有している。貫通孔６２ａの直径は、接続端子に接続されるＬＡＮケーブルの直径以下である。この貫通孔６２ａには、保護カバー６０が保護している接続端子に接続されるＬＡＮケーブルが挿通可能となっている。そして、ＬＡＮケーブルが挿通される場合、貫通孔６２ａの直径がＬＡＮケーブルの直径以下であるため、貫通孔６２ａの内面とＬＡＮケーブルとが圧接し、保護カバー６０の位置のずれを防止することができる。
【００５２】
さらに、本実施の形態においては、頭頂部６１の開口部６１ｂから挿入された回転軸部材６３が貫通孔６２ａの内面に形成された開口部６２ｄまで貫通しており、頭頂部６１は、嵌合部６２に対して回転可能に支持されている。
【００５３】
また、頭頂部６１側とは反対側（図５中奥方向）の底面から貫通孔６２ａまでは切込６２ｂが入れられており、切込６２ｂを介して対向する２つの端部６２ｃが形成されている。このため、保護カバー６０をＬＡＮケーブルに取り付ける際には、ＬＡＮケーブルを２つの端部６２ｃの間の切込６２ｂを通過させることにより、ＬＡＮケーブルが貫通孔６２ａを挿通した状態にすることができる。
【００５４】
そして、本実施の形態においては、頭頂部６１が回転軸部材６３を介して嵌合部６２に支持されているため、例えば図８−１に示すように、ＬＡＮケーブル４０を貫通孔６２ａに挿通させた状態でも、面状部６１ａに表示された識別情報とＬＡＮケーブル４０との相対的な向きを変更することができる。すなわち、図８−１においては、ＬＡＮケーブル４０の挿通方向と面状部６１ａに表示された識別情報（識別番号「３」）の上下方向とが一致しているが、頭頂部６１を嵌合部６２に対して回転させることにより、例えば図８−２に示すように、ＬＡＮケーブル４０の挿通方向と面状部６１ａに表示された識別情報（識別番号「３」）の上下方向とが一致しなくなる。
【００５５】
このように、面状部６１ａに表示された識別情報の向きをＬＡＮケーブル４０の挿通方向に対して変更することができるため、ＬＡＮケーブル４０の設置状態に関わらず識別情報の視認性を向上することができる。
【００５６】
以上のように、本実施の形態によれば、ＬＡＮケーブルが挿通される嵌合部と識別情報が表示される頭頂部とが互いに回転可能に支持されるため、保護カバーが取り付けられたＬＡＮケーブルの設置状態に関わらず識別情報を確認しやすい向きにすることができ、識別情報の視認性をさらに向上することができる。
【００５７】
なお、本実施の形態においては、回転軸部材６３によって頭頂部６１を回転可能に支持したが、例えば頭頂部６１と嵌合部６２とが球面を介して接するように形成し、頭頂部６１が嵌合部６２に対して回動可能にしても良い。また、上記各実施の形態は、種々組み合わせて実施することが可能である。
【００５８】
（付記１）同一装置に設けられた複数の接続端子に接続される電線を識別する電線用識別器具であって、
前記接続端子に嵌合して未使用時の接続端子を保護する保護部と、
前記保護部を貫通し使用時の接続端子に接続される電線を挿通可能な貫通孔と、
前記保護部に支持され前記接続端子に接続される電線の識別情報を表示する面状部と
を有することを特徴とする電線用識別器具。
【００５９】
（付記２）前記貫通孔は、
前記保護部の前記接続端子への嵌合方向とは垂直な方向に前記保護部を貫通することを特徴とする付記１記載の電線用識別器具。
【００６０】
（付記３）前記保護部は、
前記面状部と接していない底面部と、
前記底面部が前記貫通孔の中心軸と平行に切り込まれて形成され、前記貫通孔まで到達する切込部と
を含むことを特徴とする付記１記載の電線用識別器具。
【００６１】
（付記４）前記底面部は、
前記切込部に向かうにつれて前記貫通孔へ近づく傾斜が形成されていることを特徴とする付記３記載の電線用識別器具。
【００６２】
（付記５）前記面状部は、
前記保護部に回転可能に支持されることを特徴とする付記１記載の電線用識別器具。
【００６３】
（付記６）前記貫通孔は、
内面に複数の突起を有することを特徴とする付記１記載の電線用識別器具。
【００６４】
（付記７）前記面状部は、
未使用時に前記保護部によって保護される接続端子の端子番号を識別情報として表示することを特徴とする付記１記載の電線用識別器具。
【００６５】
（付記８）前記面状部は、
周囲の色と異なる色で識別情報を表示することを特徴とする付記１記載の電線用識別器具。
【産業上の利用可能性】
【００６６】
本発明は、電線識別の利便性を向上するとともに、紛失防止や再利用の促進を図る場合に適用することができる。
【図面の簡単な説明】
【００６７】
【図１】実施の形態１に係るハブ装置の一例を示す斜視図である。
【図２】実施の形態１に係る保護カバーを示す斜視図である。
【図３−１】実施の形態１に係る保護カバーの動作を示す図である。
【図３−２】実施の形態１に係る保護カバーのケーブル取り付け方法を示す図である。
【図４】実施の形態１に係る保護カバーを示す平面図である。
【図５】実施の形態２に係る保護カバーを示す斜視図である。
【図６−１】実施の形態２に係る保護カバーの動作を示す図である。
【図６−２】実施の形態２に係る保護カバーのケーブル取り付け方法を示す図である。
【図７】実施の形態３に係る保護カバーを示す斜視図である。
【図８−１】実施の形態３に係る保護カバーのケーブル取り付け状態の一例を示す図である。
【図８−２】実施の形態３に係る保護カバーのケーブル取り付け状態の他の一例を示す図である。
【図９−１】ケーブル識別タグの一例を示す図である。
【図９−２】ケーブル識別方法の一例を示す図である。
【符号の説明】
【００６８】
３０、５０、６０  保護カバー
３１、５１、６１  頭頂部
３１ａ、５１ａ、６１ａ  面状部
３１ｂ  外縁部
３２、５２、６２  嵌合部
３２ａ、５２ａ、６２ａ  貫通孔
３２ｂ、５２ｂ、６２ｂ  切込
３２ｃ、５２ｃ、６２ｃ  端部
３３  突起
５２ｄ  底面部
５２ｅ  側面部
６１ｂ、６２ｄ  開口部
６３  回転軸部材
【図１】
0004783653.tif 000002
【図２】
0004783653.tif 000003
【図３−１】
0004783653.tif 000004
【図３−２】
0004783653.tif 000005
【図４】
0004783653.tif 000006
【図５】
0004783653.tif 000007
【図６−１】
0004783653.tif 000008
【図６−２】
0004783653.tif 000009
【図７】
0004783653.tif 000010
【図８−１】
0004783653.tif 000011
【図８−２】
0004783653.tif 000012
【図９−１】
0004783653.tif 000013
【図９−２】
0004783653.tif 000014